(57)【要約】【課題】  画像信号の彩度を自動的に調整するための動的画像処理装置を提供すること。【解決手段】  本発明は、複数の画素で構成された画像信号の彩度を動的に調整するための装置および方法を提供する。本装置は、第１変換モジュール、演算モジュール、利得モジュール、調整モジュール、及び第２変換モジュールを備える。上記第１変換モジュールは、上記画像信号の画素を複数の中間信号に変換する。ここで、上記中間信号は各彩度値を有する。上記中間信号は、該中間信号の彩度分布に関するヒストグラムによって決定される利得信号に従って調整される。上記調整された中間信号は、上記画像信号の賀詞に変換されて戻され、これにより上記画像信号の彩度が調整される。【選択図】  図１
2006229925.tif 000002
【特許請求の範囲】
【請求項１】
複数の画素で構成された画像信号の彩度を動的に調整するための装置であって、
前記画像信号を入力すると共に、前記画像信号の画素をそれぞれが各彩度値を有する複数の中間信号に変換するための第１変換モジュールと、
前記第１変換モジュールに電気的に接続され、前記中間信号を入力すると共に、該中間信号に基づいて演算信号を発生させるための演算モジュールと、
前記演算モジュールに電気的に接続され、前記演算信号を入力すると共に、該演算信号に基づいて利得信号を発生させる利得モジュールと、
前記利得モジュールおよび前記第１変換モジュールにそれぞれ接続され、前記利得信号および前記中間信号を入力すると共に、前記利得信号に従って前記中間信号のそれぞれの彩度値を調整するための調整モジュールと、
前記調整モジュールに電気的に接続され、前記調整された中間信号を入力すると共に、該調整された中間信号を前記画像信号の画素に変換して戻す第２変換モジュールと
を備え、これにより前記画像信号の彩度が調整される装置。
【請求項２】
前記中間信号のそれぞれは、明度成分、第１色成分、および第２色成分を含む請求項１記載の装置。
【請求項３】
前記中間信号のそれぞれの彩度値は、前記第１色成分および前記第２色成分によって定義される請求項２記載の装置。
【請求項４】
前記演算モジュールは、前記中間信号の彩度値に関するヒストグラムを計算し、そして該ヒストグラムにおける前記中間信号の彩度値の分布に従って前記演算信号を発生させる請求項３記載の装置。
【請求項５】
前記中間信号のそれぞれの彩度値は、前記第１色成分および前記第２色成分の絶対値の合計として定義される請求項２記載の装置。
【請求項６】
前記中間信号のそれぞれの彩度値は、前記第１色成分および前記第２色成分の二乗値の合算として定義される請求項２記載の装置。
【請求項７】
前記利得モジュールは、ルックアップテーブルを備え、前記演算信号および前記ルックアップテーブルに従って前記利得信号を発生させる請求項１記載の装置。
【請求項８】
前記利得モジュールは、前の複数の画像信号に関連した複数の参照利得信号を格納するためのバッファを備え、該利得モジュールは、前記演算信号および前記参照利得信号に従って前記利得信号を発生させる請求項１記載の装置。
【請求項９】
複数の画素で構成される画像信号の彩度を動的に調整するための装置であって、
前記画像信号を入力すると共に、該画像信号の画素をそれぞれが各彩度値を有する複数の中間信号に変換するための第１変換モジュールと、
前記第１変換モジュールに電気的に接続され、前記中間信号を入力すると共に、該中間信号に基づいて利得信号を発生させるための演算／利得モジュールと、
前記演算／利得モジュールおよび前記第１変換モジュールにそれぞれ電気的に接続され、前記利得信号および前記中間信号をを入力すると共に、前記利得信号に従って前記中間信号のそれぞれの彩度値を調整するための調整モジュールと、
前記調整モジュールに電気的に接続され、前記調整された中間信号を入力すると共に、該調整された中間信号を前記画像信号の画素に変換して戻すための第２変換モジュールと
を備え、これにより前記画像信号の彩度をが調整される装置。
【請求項１０】
前記演算／利得モジュールは、
前記第１変換モジュールに電気的に接続され、前記中間信号を入力すると共に、該中間信号に基づいて演算信号を発生させる演算モジュールと、
前記演算モジュールに電気的に接続され、前記演算信号を入力すると共に、該演算信号に従って前記利得信号を発生させるための利得モジュールと
を備えた請求項９記載の装置。
【請求項１１】
前記中間信号は、明度成分、第１色成分、および第２色成分を含む請求項１０記載の装置。
【請求項１２】
前記中間信号のそれぞれの彩度値は、前記第１色成分および前記第２色成分によって定義される請求項１１記載の装置。
【請求項１３】
前記演算モジュールは、前記中間信号の彩度値に関するヒストグラムを計算し、そして該ヒストグラムにおける前記中間信号の彩度値の分布に従って前記演算信号を発生させる請求項１２記載の装置。
【請求項１４】
前記中間信号のそれぞれの彩度値は、前記第１色成分および前記第２色成分の絶対値の合計として定義される請求項１１記載の装置。
【請求項１５】
前記中間信号のそれぞれの彩度値は、前記第１色成分および前記第２色成分の二乗値の合算として定義される請求項１１記載の装置。
【請求項１６】
前記利得モジュールは、ルックアップテーブルを備え、前記演算信号および前記ルックアップテーブルに従って前記利得信号を発生させる請求項１０記載の装置。
【請求項１７】
前記利得モジュールは、前の複数の画像信号に関連した複数の参照利得信号を格納するためのバッファを備え、該利得モジュールは、前記演算信号および前記参照利得信号に従って前記利得信号を発生させる請求項１０記載の装置。
【請求項１８】
複数の画素で構成された画像信号の彩度を動的に調整するための方法であって、
（ａ）前記画像信号を入力すると共に、前記画像信号の画素をそれぞれが各彩度値を有する複数の中間信号に変換するステップと、
（ｂ）前記中間信号に基づいて演算信号を発生させるステップと、
（ｃ）前記演算信号に基づいて利得信号を発生させるステップと、
（ｄ）前記利得信号に従って前記中間信号のそれぞれの彩度値を調整するステップと、
（ｅ）前記調整された中間信号を前記画像信号の画素に変換して戻すステップと
を備え、これにより前記画像信号の彩度が調整される方法。
【請求項１９】
前記中間信号のそれぞれは、明度成分、第１色成分、および第２色成分を含む請求項１８記載の方法。
【請求項２０】
前記中間信号のそれぞれの彩度値は、前記第１色成分および前記第２色成分によって定義される請求項１９記載の方法。
【請求項２１】
前記ステップ（ｂ）は、前記中間信号の彩度値に関するヒストグラムを計算し、そして該ヒストグラムにおける前記中間信号の彩度値の分布に従って前記演算信号を発生させる請求項２０記載の方法。
【請求項２２】
前記中間信号のそれぞれの彩度値は、前記第１色成分および前記第２色成分の絶対値の合計として定義される請求項１９記載の方法。
【請求項２３】
前記中間信号のそれぞれの彩度値は、前記第１色成分および前記第２色成分の二乗値の合算として定義される請求項１９記載の方法。
【請求項２４】
前記ステップ（ｃ）は、前記演算信号およびルックアップテーブルに従って前記利得信号を発生させる請求項１８記載の方法。
【請求項２５】
前記ステップ（ｃ）は、前の複数の画像信号に関連した複数の参照利得信号および前記演算信号に従って前記利得信号を発生させる請求項１８記載の方法。
【発明の詳細な説明】
【技術分野】
【０００１】
本発明は、概して、動的画像彩度処理装置(dynamic image enhancement apparatus)に関し、更に詳しくは、画像信号の彩度値(saturation value)を動的に調整するための装置に関する。
【背景技術】
【０００２】
人間の目が色(color)を知覚して応答する自然な方法は、色相(hue)、彩度(saturation)、明度(brightness)に基づいている。ＲＧＢカラー信号は、ルーマ(luma)（輝度(luminance)または明度(brightness)）およびクロマ(chroma)（主調色(dominant color)及びその彩度(saturation)）の二つの部分として表すことができる。表示装置における画像信号(image signal)の処理に関して、各成分(component)を個別に調整することを可能とするために、通常、ルーマ−クロマ分離(luma-chroma separation)が画像信号に対して実施される。高品質の画像信号を伝送する場合、明度(brightness)および色成分(color component)は、また、例えばビデオおよび画像圧縮において使用されるＹＰｂＰｒおよびＹＣｂＣｒ色空間のように、個々に分離されて維持される。画像信号の彩度を高める(enhance)ため、ＰｂおよびＰｒ（ＣｂおよびＣｒ）成分、即ち信号の色成分を調整(adjust)してこの目的を達成することができる。
【０００３】
表示装置（例えばモニタ）が製造された後、ユーザーは、その装置に組み込まれたＯＳＤ(On Screen Display)機能を利用して、更に画像品質を高めると共に一層鮮明な画像表示を得るために、彩度のような、デフォルトの表示設定を変更することができる。しかしながら、通常、同一の表示設定が全ての画像に適するとは限らない。例えば、或る画像の彩度を上げることは、元々高い彩度を有する他の画像の彩度を過剰にし、その逆もまた同様である。
【０００４】
ＯＳＤ制御を使用することにより、ユーザーは、所望の方法で画像を表示するためのモニタを容易に構成することができる。しかしながら、静的な設定は、ビデオシーケンスにおいて発生された動的変化に順応することができず、前述した問題の原因になる。従って、種々の画像信号に基づく彩度の自動調整を提供する装置に対する要請が存在する。さらに、また、ＣＩＥ Ｌａｂのように、広く使用されているＹＰｂＰｒおよびＹＣｂＣｒ以外の色空間において調整作業を遂行することも有り得る。ＣＩＥ Ｌａｂを使用することの利点は、色のルーマ及びクロマ成分が良好に分離されることである。また、ＣＩＥ Ｌａｂ表現に格納される色データ(color data)は、情報の損失を伴うことなく、異なる色空間の間で変化することができる。
【０００５】
従って、本発明の目的は、画像信号の彩度を動的に調整するための装置を提供することである。
【発明の開示】
【発明が解決しようとする課題】
【０００６】
従って、本発明の目的は、画像信号の彩度を自動的に調整するための動的画像処理装置(dynamic image enhancement apparatus)を提供することである。
【課題を解決するための手段】
【０００７】
本発明の第１の好ましい実施形態によれば、複数の画素で構成された画像信号の彩度を動的に調整するための装置は、第１変換モジュール(first transformation module)、演算モジュール(operation module)、利得モジュール(gain module)、調整モジュール(adjustment module)、及び第２変換モジュール(second transformation module)を備える。前記第１変換モジュールは、前記画像信号を入力して、該画像信号の画素を複数の中間信号に変換するために使用され、前記中間信号のそれぞれは各彩度値(saturation value)を有している。前記演算モジュールは、前記第１変換モジュールに電気的に接続され、前記中間信号を入力し、該中間信号に基づいて演算信号(operational signal)を発生させるために使用される。前記利得モジュールは、前記演算モジュールに電気的に接続され、前記演算信号を入力し、該演算信号に従って利得信号(gain signal)を発生させるために使用される。前記調整モジュールは、前記利得モジュール及び前記第１変換モジュールにそれぞれ電気的に接続され、前記利得信号及び前記中間信号を入力し、前記利得信号に従って前記中間信号のそれぞれの前記彩度値を調整するために使用される。前記第２変換モジュールは、前記調整モジュールに電気的に接続され、前記調整された中間信号を入力し、該調整された中間信号を前記画像信号の画素に変換して戻すために使用され、これにより前記画像信号の彩度が調整される。
【０００８】
本発明の第２の好ましい実施形態によれば、複数の画素で構成された画像信号の彩度を動的に調整するための装置は、第１変換モジュール、演算／利得モジュール、調整モジュール、及び第２変換モジュールを備える。前記第１変換モジュールは、演算モジュールと利得モジュールとを備える。前記第１変換モジュールは、前記画像信号を入力し、該画像信号の画素を複数の中間信号に変換するために使用され、前記中間信号のそれぞれは各彩度値を有している。前記演算モジュールは、前記第１変換モジュールに電気的に接続され、前記中間信号を入力し、該中間信号に基づいて演算信号を発生させるために使用される。前記利得モジュールは、前記演算モジュールに電気的に接続され、前記演算信号を入力し、該演算信号に従って利得信号を発生させるために使用される。前記調整モジュールは、前記利得モジュール及び前記第１変換モジュールにそれぞれ電気的に接続され、前記利得信号および前記中間信号を入力し、該利得信号に従って前記中間信号のそれぞれの彩度値を調整するために使用される。前記第２変換モジュールは、前記調整モジュールに電気的に接続され、前記調整された中間信号を入力し、該調整された中間信号を前記画像信号の画素に変換して戻すために使用され、これにより前記画像信号の彩度値が調整される。
【０００９】
本発明の第３の実施形態によれば、複数の画素で構成された画像信号の彩度値を調整するための方法が提供される。以下、本方法のステップが簡単に要約される。第１に、前記画像信号が入力され、該画像信号の画素が複数の中間信号に変換される。ここで前記中間信号のそれぞれは各彩度値を有している。第２に、演算信号が前記中間信号に基づいて発生される。第３に、利得信号が前記演算信号に従って発生される。その後、前記中間信号のそれぞれの前記彩度値が前記利得信号に従って調整される。最後に、前記調整された中間信号が前記画像信号の画素に変換されて戻され、これにより前記画像信号の彩度が調整される。
【００１０】
更に具体的には、本発明の前記装置および前記方法は、画像信号の彩度分布(saturation distribution)に関するヒストグラムを計算して、前記画像信号について利得信号を発生させる。そして、前記利得信号は、前記画像信号の彩度を調整するために適用される。本発明は、画像品質がさらに高められるように、画像信号の彩度を自動的に調整することを可能とする。
本発明の利点および思想は、添付の図面と共に以下の説明により理解されるであろう。
【発明を実施するための最良の形態】
【００１１】
図１を参照すると、図１は、本発明の第１の実施形態による動的画像処理装置の機能ブロック図である。本発明は、複数の画素(pixels)で構成された画像信号１１の彩度(saturation)を動的に調整するための装置１を提供する。本装置１は、第１変換モジュール(first transformation module)１２、演算モジュール(operation module)１４、利得モジュール(gain module)１６、調整モジュール(adjustment module)１８、及び第２変換モジュール(second transformation module)２０を備える。
【００１２】
第１変換モジュール１２は、画像信号１１を入力し、そしてこの画像信号１１の画素を複数の中間信号(intermediate signals)に変換する。ここで、上記中間信号のそれぞれは各彩度値(saturation value)を有している。
【００１３】
或る実施形態では、上記中間信号のそれぞれは、明度成分(brightness component)１３、第１色成分(first color component)１５、及び第２色成分(second color component)１７を含んでいる。上記中間信号のそれぞれの彩度値は、第１色成分１５及び第２色成分１７により定義される。
【００１４】
演算モジュール１４は、上記第１変換モジュール１２に電気的に接続されており、上記中間信号を入力し、そして該中間信号に基づいて演算信号１９を発生させる。具体的には、演算モジュール１４は、上記中間信号の彩度値に関するヒストグラムを計算し、そしてこのヒストグラムにおける中間信号の彩度値の分布に従って演算信号１９を発生させる。
【００１５】
或る実施形態では、上記中間信号のそれぞれの彩度値は、上記第１色成分１５および第２色成分１７の絶対値の合計として定義される。他の実施形態では、上記中間信号のそれぞれの彩度値は、上記第１色成分１５および第２色成分１７の二乗値(square value)の合計として定義される。
【００１６】
利得モジュール１６は、上記演算モジュール１４に電気的に接続されており、上記演算信号１９を入力し、そして該演算信号に従って利得信号１２を発生させる。或る実施形態では、利得モジュール１６は、ルックアップテーブル（ＬＵＴ、図１では示されていない）を備え、上記演算信号１９および上記ルックアップテーブルに従って、利得信号２１を発生させる。他の実施形態では、利得モジュール１６は、前の複数の画像信号に関連した複数の参照利得信号を格納するためのバッファ（図１では示されていない）を備え、利得モジュール１６は、上記演算信号および上記参照利得信号に従って上記利得信号を発生させる。
【００１７】
調整モジュール１８は、上記利得モジュール１６および上記第１変換モジュール１２にそれぞれ電気的に接続されており、上記利得信号２１および中間信号を入力し、そして上記利得信号２１に従って、上記中間信号のそれぞれの彩度値を調整する。
【００１８】
第２変換モジュール２０は、上記調整モジュール１８に電気的に接続されており、上記調整された中間信号を入力し、そして上記調整された中間信号を画像信号１１の画素に変換して戻し、これにより上記画像信号１１の彩度が調整される。
【００１９】
或る実施形態では、上記画像信号１１は、一般に使用されるＲＧＢ表現(RGB representation)として表される。画像彩度の調整のために、画像信号１１の画素は、最初に、ガンマルックアップテーブル(gamma look-up table)を照会することにより、２．２のガンマ補正変換(gamma adjust transformation of 2.2)において訂正され、そして、ＣＩＥ Ｌａｂ表現(CIE Lab representation)の形式で上記中間信号に変換される。ＣＩＥ Ｌａｂ色空間におけるルーマ成分及びクロマ成分の分離を利用して、装置１は、上記中間信号の彩度分布(saturation distribution)に関するヒストグラムを計算し、そして上記演算信号１９を発生させる。そして、上記利得信号２１は、上記演算信号１９に従ってＬＵＴを照会することにより発生される。利得信号２１は、上記中間信号の第１色成分１５および第２色成分１７を調整するために適用される。上記調整された中間信号をＲＧＢ表現に回復させるために逆変換が遂行され、そして、これにより画像彩度の調整が達成される。
【００２０】
図２Ａないし図３Ｂを参照されたい。図２Ａは、ＣＩＥ Ｌａｂ色空間を図式的に例示する図である。図２Ａに示されるように、ＣＩＥ Ｌａｂは、Ｌ３２軸とａ３４軸とｂ３６軸とによって定義される３次元色空間である。定義によれば、Ｌは明度成分(brightness component)を表し、（ａ，ｂ）は色成分を表す、ここで更に、ａは、赤(red)および緑(green)の色を表し、ｂは青(blue)および黄(yellow)の色を表す。Ｌ、ａ、ｂは、上記中間信号の明度信号(brightness signal)、第１色成分１５、第２色成分１７をそれぞれ表す。
【００２１】
図２Ｂは、Ｌ軸に沿ったＣＩＥ Ｌａｂ色空間の断面図を示す。ＣＩＥ Ｌａｂ色空間における全ての座標は、相異なる色(color)を定義する。もし、ａ及びｂの両方が同時にゼロに等しければ、異なるＬ座標が種々の明度の白色に対応する。図２Ｂに示されるように、色空間においてＬが固定された平面が例示される。換言すると、上記平面は、上記色空間において等しい明度を有する全ての色の集合である。上記色空間上の点Ｃ＊が原点に近づくにつれて、対応する色が、完全な飽和(saturated)状態（白成分のない状態）から不飽和(unsaturated)状態に変化する。その結果、上記色平面上の点の彩度は、上記原点までのその距離として定義され得る。
【００２２】
【数１】
2006229925.tif 000003
【００２３】
彩度の大きさ(measure)を定義することにより、図３Ａおよび図３Ｂに示されるように、上記中間信号の彩度値に関するヒストグラム４０が、上記中間信号の色成分に従って計算される。或る実施形態では、ヒストグラム４０は、平方根(square roots)の高い計算コストのため、ａおよびｂの二乗値に従って計算される。他の実施形態では、色の彩度は、ヒストグラム４０を計算するために、ａ及びｂの絶対値によって概算され、即ち、Ｓ＝｜ａ｜＋｜ｂ｜によって概算される。
【００２４】
実際の用途では、全画像から計算された彩度ヒストグラム４０の特性は、行における８個の画素から一つを選択し、画像における４つの行から一つを選択することのような、サブサンプリング(sub-sampling)により保持される。全画素の彩度値のための計算を用いることなく、計算コストが著しく低減される。
【００２５】
彩度ヒストグラム４０は、種々の彩度値を有する画素の数、即ち画像における彩度値の分布を示す。或る実施形態では、ヒストグラム４０の曲線４２を利用して、演算信号１９が、次の手順により決定される。図３Ｂに示されるように、彩度の最大値をＳ＿ｍａｘとし、Ｓ＿ｉｎｄｅｘを０からＳ＿ｍａｘまでの範囲の取り得る彩度値とする。Ｓ＿ｉｎｄｅｘをＳ＿ｍａｘに等しいとして始めて、演算モジュール１４は、上方で曲線４２に境界され且つ下方でＳ軸に境界され且つ左側でＳ＿ｉｎｄｅｘに境界され且つ右側でＳ＿ｍａｘに境界される領域の局所面積（Ａｒｅａ＿ｌｏｃａｌ）４４を計算する。そして、演算モジュール１４は、曲線４２の下側の全面積４８に対するＡｒｅａ＿ｌｏｃａｌ ４４の比が所定の閾値以上かどうかを判断する。もし、上記の比が上記閾値よりも小さければ、Ｓ＿ｉｎｄｅｘが１だけ減少(decremented)され、そしてＡｒｅａ＿ｌｏｃａｌ ４４が再計算される。上記基準が満たされるまで上記のステップを繰り返し、そして、Ｓ＿ｉｎｄｅｘを演算信号１９として出力する。
【００２６】
上記取り得る彩度インデックスＳ＿ｉｎｄｅｘのそれぞれは、対応するエントリ(entry)を上記ＬＵＴに有しており、このＬＵＴは、Ｓ＿ｉｎｄｅｘについての利得の所定値を含んでいる。演算モジュール１４によって決定されたインデックスを有する上記ＬＵＴを照会することにより、対応する値の利得が容易に読み出され、そして上記利得信号２１として出力される。上記中間信号の彩度は、上記第１色成分１５および第２色成分１７に上記利得信号２１を乗算することにより調整される。この調整された中間信号は、ＲＧＢ表現に変換されて戻され、そして、これにより上記画像信号１１の彩度調整が完了される。
【００２７】
利得モジュール１６は、上記演算信号１９を入力し、そして、該演算信号１９（即ち、彩度インデックス）を用いて上記ＬＵＴを照会することにより上記利得信号２１を発生させる。調整モジュール１８は、上記利得信号２１に従って上記中間信号のそれぞれの彩度値を調整する。そして、第２変換モジュール２０は、上記調整された中間信号を上記画像信号１１の画素に変換して戻し、これにより上記画像信号１１の彩度が調整される。
【００２８】
本発明による装置１の実施形態において、利得モジュール１６は、前の複数の画像信号と関連した複数の参照利得信号を格納するためのバッファを備え、該利得モジュール１６は、上記演算信号１９および上記参照利得信号に従って上記利得信号２１を発生させる。概して、ビデオシーケンスにおける隣接フレーム(adjacent frame)間の変化は、とりわけ６０ｆ／ｓｅｃである。また、ハードウェアによる処理時間を考慮して、現在のフレームの彩度調整は、前フレームについて計算された利得を採用することができる。しかしながら、前フレームの利得を参照することのみによって現在のフレームを調整することは、連続的なビデオシーケンスを表示するときに、たびたびフリッカー(flicker)の原因となる。その結果として、連続した画像信号間での彩度の突然の変化によって引き起こされるフリッカーを防止するために、或る数の前フレーム、例えば３０フレームの平均利得を計算することにより、平滑化された利得(smoothed gain)が得られる。また、上記利得モジュールは、上記演算信号１９に従って現在のフレームについての利得を発生させ、そしてそれを上記バッファに与える。
【００２９】
図４を参照すると、図４は、本発明の第２の好ましい実施形態による動的画像処理装置５の機能ブロック図である。本装置５は、複数の画素で構成される画像信号５１の彩度を動的に調整するためのものであり、第１変換モジュール５２、演算／利得モジュール５４、調整モジュール５６、および第２変換モジュール５８を備える。上記演算／利得モジュール５４は、演算モジュール５４０と利得モジュール５４２とを備える。
【００３０】
上記第１変換モジュール５２は、画像信号５１を入力し、該画像信号５１の画素を複数の中間信号に変換する。ここで、上記中間信号のそれぞれは、各彩度値(saturation value)を有している。
【００３１】
或る実施形態では、上記中間信号のそれぞれは、明度成分(brightness component)５３と、第１色成分(first color component)５５と、第２色成分(second color component)５７とを含んでいる。上記中間信号のそれぞれの彩度値は、上記第１色成分５５および上記第２色成分５７により定義される。
【００３２】
演算モジュール５４０は、上記第１変換モジュール５２に電気的に接続されており、上記中間信号を入力し、そして該中間信号に基づいて演算信号６１を発生させる。具体的には、演算モジュール５４０は、上記中間信号の彩度値に関するヒストグラムを計算し、そしてこのヒストグラムにおける中間信号の彩度値の分布に従って演算信号６１を発生させる。
【００３３】
或る実施形態では、上記中間信号のそれぞれの彩度値は、上記第１色成分５５および第２色成分５７の絶対値の合計として定義される。他の実施形態では、上記中間信号のそれぞれの彩度値は、上記第１色成分５５および第２色成分５７の二乗値(square value)の合計として定義される。
【００３４】
利得モジュール５４２は、上記演算モジュール５４０に電気的に接続されており、上記演算信号６１を入力し、そして該演算信号に従って利得信号５９を発生させる。或る実施形態では、利得モジュール５４２は、ルックアップテーブル（図４では示されていない）を備え、上記演算信号６１および上記ルックアップテーブルに従って、利得信号５９を発生させる。他の実施形態では、利得モジュール５４２は、前の複数の画像信号に関連した複数の参照利得信号を格納するためのバッファ（図４では示されていない）を備え、利得モジュール５４２は、上記演算信号６１および上記参照利得信号に従って上記利得信号５９を発生させる。
【００３５】
調整モジュール５６は、上記利得モジュール５４２および上記第１変換モジュール５２にそれぞれ電気的に接続されており、上記利得信号５９および中間信号を入力し、そして上記利得信号５９に従って、上記中間信号のそれぞれの彩度値を調整する。
【００３６】
第２変換モジュール５８は、上記調整モジュール５６に電気的に接続されており、上記調整された中間信号を入力し、そして上記調整された中間信号を画像信号５１の画素に変換して戻し、これにより上記画像信号５１の彩度が調整される。
【００３７】
図５を参照すると、図５は、本発明の第３の好ましい実施形態による動的画像処理方法のフローチャートである。本方法は、複数の画素で構成される画像信号の彩度を動的に調整するために使用される。以下に、本発明による方法のステップを詳細に説明する。
【００３８】
最初に、ステップＳ７１が遂行されて、上記画像信号を入力し、そして該画像信号の画素を複数の中間信号に変換する。ここで、上記中間信号のそれぞれは各彩度値を有している。
【００３９】
或る実施形態では、上記中間信号のそれぞれは、明度成分(brightness component)、第１色成分(first color component)および第２色成分(second color component)を備えている。上記中間信号のそれぞれの彩度値は、上記第１色成分および上記第２色成分によって定義される。
【００４０】
続いて、ステップＳ７３が遂行されて、上記中間信号に基づいて演算信号を発生させる。具体的には、ステップＳ７３は、上記中間信号の彩度値に関するヒストグラムを計算し、そして該ヒストグラムにおける上記中間信号の彩度値の分布に従って上記演算信号を発生させる。
【００４１】
或る実施形態では、上記中間信号のそれぞれの彩度値は、上記第１色成分および上記第２色成分の絶対値の合計として定義される。他の実施形態では、上記中間信号のそれぞれの彩度値は、上記第１色成分および第２色成分の二乗値(square value)の合計として定義される。
【００４２】
その後、上記演算信号に従って利得信号が発生される（ステップＳ７５）。或る実施形態では、ステップＳ７５は、上記演算信号およびルックアップテーブルに従って上記利得信号を発生させる。他の実施形態では、ステップＳ７５は、前の複数の画像信号に関連した複数の参照利得信号および上記演算信号に従って上記利得信号を発生させる。
【００４３】
ステップＳ７５において発生された上記利得信号に従って、上記中間信号のそれぞれの彩度値が調整される（ステップＳ７７）。最後に、ステップＳ７９が遂行されて、上記調整された中間信号を上記画像信号の画素に変換して戻し、そして、これにより上記画像信号の彩度が調整される。
【００４４】
上述の例および説明を用いて、本発明の特徴および思想が願わくは十分に説明された。本技術分野の当業者であれば、本発明の教示の範囲内で、上記装置の多くの変形および代替物がなされることが容易に分かるであろう。従って、上記開示は、添付の請求項の境界(metes)および範囲(bounds)によってのみ制限されるものとして解釈されるべきである。
【図面の簡単な説明】
【００４５】
【図１】本発明の好ましい実施形態による動的画像処理装置の機能ブロック図である。
【図２Ａ】ＣＩＥ Ｌａｂ色空間を図式的に示す図である。
【図２Ｂ】Ｌ軸に沿ったＣＩＥ Ｌａｂ色空間の断面図である。
【図３Ａ】本発明の実施形態による画像信号の代表的な彩度ヒストグラムを示す図である。
【図３Ｂ】図３Ａに示される上記代表的な彩度ヒストグラムであり、彩度インデックスを決定する手順の一例を説明するための図である。
【図４】本発明の好ましい実施形態による動的画像処理装置の機能ブロック図である。
【図５】本発明の好ましい実施形態による動的画像処理方法のフローチャート図である。
【符号の説明】
【００４６】
１２，５２  第１変換モジュール
１４，５４０  演算モジュール
１６，５４２  利得モジュール
１８，５６  調整モジュール
２０，５８  第２変換モジュール
５４  演算／利得モジュール
【図１】
2006229925.tif 000004
【図２Ａ】
2006229925.tif 000005
【図２Ｂ】
2006229925.tif 000006
【図３Ａ】
2006229925.tif 000007
【図３Ｂ】
2006229925.tif 000008
【図４】
2006229925.tif 000009
【図５】
2006229925.tif 000010